(57)【特許請求の範囲】
【請求項１】
被操作部材のシャフトをケースの開口部から突出し、該シャフトに回転操作具のボス部を嵌合してなる回転操作装置において、
前記ケースに、前記開口部を囲むように凹凸のノッチ溝座を形成し、
前記シャフトに、前記ノッチ溝座に係脱し得る突起を有する板スプリングを回転不能に嵌合し、
前記板スプリングは、前記シャフトに嵌合する嵌合孔を有する内側環状部と、該内側環状部の外径側にて空隙を存して配置され、かつ前記突起を有する外側環状部と、前記内側環状部と外側環状部とを連結する連結部と、を有し、
前記回転操作具の前記ボス部の先端に前記内側環状部の一面が当接し、前記ノッチ溝座に前記突起が係合するように前記外側環状部の他面が当接し、
前記回転操作具による前記板スプリングの回転に伴い、該板スプリングが弾性変形して前記突起が前記ノッチ溝座の凸部を乗り越え、前記突起が前記ノッチ溝座に係脱してクリック感を発生してなる、
ことを特徴とする回転操作装置。
【発明の詳細な説明】
【技術分野】
【０００１】
本発明は、田植機等の農業機械に用いられ、回転操作具の回転量及び回転位置を電圧等の電気量に変換するボリューム（ポテンショメータ）等に用いられる回転操作装置に関する。
【背景技術】
【０００２】
田植機等の農業機械に用いられるスイッチ装置（含むボリューム）は、車外に露出状態となるため、風雨の影響を受けやすく、高いシール精能が求められる。特に、油圧感度調節等のロータリポテンショメータ（ボリューム）からなる回転操作装置は、回転軸部分からの水の浸入を防止するようにゴム等の防水部材が回転操作具（ダイヤル）とケースとの間に介在されている。従来、該回転操作装置（スイッチ装置の防水構造）として下記の特許文献に記載されたものが提案されている。該特許文献記載の回転操作装置は、スイッチケースの開口部の周囲に、円筒状のガイドリブと、該ガイドリブの外周側に溝部とを設け、上記開口部を介してケース内部の制御機器に接続する回転操作具に円筒状の縁部を設け、該回転操作具を、前記縁部が上記溝部に入り込んでガイドリブの外周を覆うように装着する。そして、上記ケース側のガイドリブと、上記回転操作具側の縁部との間にリング状の防水部材が配置され、該防水部材は、縁部の内周面に対してガイドリブの外周面よりも接触面接を小にして当接し、回転操作具との摺動抵抗をガイドケースより小さくして、回転操作具の操作を軽く行うことができるように構成している。
【先行技術文献】
【特許文献】
【０００３】
【特許文献１】特開２０１０−４９８８７号公報
【発明の概要】
【発明が解決しようとする課題】
【０００４】
上記回転操作装置は、回転操作具の回転操作時にクリック感を与えるためのクリック部材が設けられている。該クリック部材は、回転操作具のベース部の側部に開口形成された側孔に圧縮バネを介して嵌め込まれており、該クリック部材が、上記ガイドリブの内周面に形成された多数の凹部に係合することにより位置決めされ、そして凹部から突起を乗り越えて隣接する凹部に係合することにより、クリック感が与えられる。
【０００５】
上記クリック部材は、部品点数が多く構造が複雑であり、また回転操作具をスイッチケースの開口部に装着する際、圧縮バネに抗してクリック部材を側孔内に引っ込めた状態で組付ける必要があり、回転操作装置の組立てが面倒になっている。
【０００６】
そこで、本発明は、板スプリングを用いてクリック感を与えるようにし、もって上述した課題を解決した回転操作装置を提供することを目的とするものである。
【課題を解決するための手段】
【０００７】
本発明は、被操作部材（３３）のシャフト（３３ａ）をケース（３０）の開口部（３０ａ）から突出し、該シャフトに回転操作具（１３）のボス部（４２）を嵌合してなる回転操作装置（４０）において、
前記ケース（３０）に、前記開口部（３０ａ）を囲むように凹凸のノッチ溝座（４７）を形成し、
前記シャフト（３３ａ）に、前記ノッチ溝座（４７）に係脱し得る突起（５６）を有する板スプリング（４９）を回転不能に嵌合し、
前記板スプリング（４９）は、前記シャフト（３３ａ）に嵌合する嵌合孔（５０）を有する内側環状部（５１）と、該内側環状部の外径側にて空隙（５３）を存して配置され、かつ前記突起を有する外側環状部（５２）と、前記内側環状部（５１）と外側環状部（５２）とを連結する連結部（５５）と、を有し、
前記回転操作具（１３）の前記ボス部（４２）の先端に前記内側環状部（５１）の一面が当接し、前記ノッチ溝座（４７）に前記突起（５６）が係合するように前記外側環状部（５２）の他面が当接し、
前記回転操作具（１３）による前記板スプリング（４９）の回転に伴い、該板スプリング（４９）が弾性変形して前記突起（５６）が前記ノッチ溝座（４７）の凸部を乗り越え、前記突起（５６）が前記ノッチ溝座に係脱してクリック感を発生してなる、
ことを特徴とする回転操作装置にある。
【０００９】
なお、上記カッコ内の符号は、図面と対照するためのものであるが、これにより特許請求の範囲の構成に何等影響を及ぼすものではない。
【発明の効果】
【００１０】
請求項１に係る本発明によると、板スプリングに突起を設け、該板スプリングを弾性変形しつつ、上記突起がケースに形成されたノッチ溝座に係脱してクリック感を発生するので、簡単な構造により、クリック感を確実にかつ正確に発生することができる。
【００１１】
また、板スプリングは、内側環状部と外側環状部を有し、内側環状部の一面を回転操作具のボス部先端に当接すると共に、外側環状部の他面をノッチ溝座に当接して、該板スプリングを回転操作具とノッチ溝座との間に挟むように介在するので、回転操作装置は、回転操作具を板スプリングを介在してシャフトに嵌合することにより簡単かつ容易に組立てることができ、かつ板スプリングの弾性を確実に機能して、正確かつ長期に亘って確実なクリック機能を生じることができる。
【図面の簡単な説明】
【００１２】
【図１】本発明を適用し得る田植機を示す平面図。
【図２】その田植機の操作ハンドル及びパネル部分を示す正面図。
【図３】その油圧感度調節装置部分を示す側面図。
【図４】上記操作パネルにおける本発明に係る操作ユニットを示す斜視図。
【図５】その側面断面図。
【図６】その分解斜視図。
【図７】本発明に係る回転操作装置（ボリュームスイッチ）を示す断面図。
【図８】その分解斜視図。
【図９】その板スプリングを示す斜視図。
【発明を実施するための形態】
【００１３】
以下、図面に沿って、本発明の実施の形態について説明する。田植機１は、図１に示すように、走行車輪により支持された走行機体２を備えており、該走行機体は、その前部にボンネット３で優れたエンジンを搭載しており、その後部が運転席５になっている。走行機体２の後方には植付け装置６が昇降自在に支持されており、また走行機体２の左右には走行機体の前方から上記植付け装置６に向けて苗を供給する苗供給装置（苗スライダー）９が装備されている。
【００１４】
運転席５には、シート７の前方に操作ハンドル１０及び操作パネル１１が配置されており、図２及び図４に詳示するように、操作パネル１１の左方には一体の操作ユニット１２が配置されている。操作ユニット１２には油圧感度調節用の回転操作具（ダイヤル）１３、並びに植付スイッチ、前照灯スイッチ、マーカスイッチ、ホーンスイッチ等の各種スイッチ１５…がその表示ランプ１６と共に配置されている。回転操作具１３は、クリック感を伴って回転操作され、ボリューム（ポテンショメータ）を操作すると共に、その表面板に軟らかい、硬いとの間に操作位置の目安となる目盛が記載されている。なお、図２，図４は、ケースの、その上面に上記目盛等のシートが貼り付けられていない状態を示す。
【００１５】
上記回転操作具１３により操作される油圧感度調節装置１９は、図３に示すように、油圧感度調節モータ２０及び該モータの回転量が伝達されるセクタギヤ２１を有している。一方、植付け装置６には後部を支点Ａとして上下方向揺動自在にフロート２２が設けられており、該フロート２２の前方はプレート２３が連結されていると共にスプリング２５により下方に向けて押圧されている。そして、上記プレート２３及びスプリング２５がボーデンワイヤ２６を介して上記セクタギヤ２１に連結している。これにより、上記回転操作具１３の操作に基づく油圧感度調節モータ２０の回動位置により、フロート２２の姿勢及び土圧感度が調節され、フロートの上下揺動により植付け装置６を走行機体２に対して上下動する油圧の感度が調節される。
【００１６】
操作ユニット１２は、図５及び図６に示すように、合成樹脂からなるケース３０と、スイッチ基板３１と、コントローラ基板３２とを有する。スイッチ基板３１には被操作部材であるボリューム（ポテンショメータ）３３、複数の押ボタンスイッチ１５…及びＬＥＤランプ１６…が実装されており、コントローラ基板３２はその制御回路を備えていると共に、外部に電線３５が延出して、前記油圧感度調節用モータ２０等のアクチュエータに連通している。そして、ケース３０内に、シール３６及び上記ボリューム３３用のパッキン３７を挟んで上記スイッチ基板３１及びコントローラ基板３２が重なるように実装され、かつケース３０の裏面からモールド処理が行われ、密閉される。
【００１７】
ついで、本発明に係る回転操作装置３５について、図７，図８及び図９に基づき説明する。回転操作装置４０は、油圧感度調節用の前記ボリューム３３を操作する前記回転操作具（ダイヤル）１３を有している。上記ボリューム３３のシャフト３３ａは一面が面取りされたＤ形シャフトであり、前記パッキン３７を嵌挿して、水密状にケース３０から外部に突出している。回転操作具１３は、指示突部４１ａ及び周囲に凹凸が形成された摘み用の外郭部４１と、上記ボリュームシャフト３３ａとの嵌合・連結部となる円筒状のボス部４２とを有する。該ボス部４２内に上記ボリュームシャフト３３ａが板スプリングからなるスリーブ４５を介して嵌合する。該スリーブ４５はボリュームシャフト３３ａのＤ形面取りの両端部分に係合する凹部４５ａ，４５ａを有しており、従って回転操作具１３は、ボリュームシャフト３３ａと相対回転することなく、かつ遊びを生ずることなく回転方向及び軸方向一体に嵌合している。
【００１８】
ケース３０の上面は、上記ボリュームシャフト３３ａ貫通用の開口３０ａを囲むように、同芯状に上方に突出する円環状の鍔部４６が形成されている。また、該鍔部４６の内側には同じく同芯円環状に上面が上方に向って凹凸状のノッチ溝を有するノッチ溝座４７が形成されている。そして、回転操作具１３が上記ボリュームシャフト３３ａに嵌挿して、上記ノッチ溝座４７の上面と円筒状ボス部４２の間に、ワッシャ状の板スプリング４９が挟まれるように介在する。
【００１９】
板スプリング４９は、図９に詳示するように、ボリュームシャフト３３ａ嵌合用のＤ形状の孔（Ｄ孔）５０を有しており、該Ｄ孔により形成された内側環状部５１と、該内側環状部の外径側にて空隙５３を存して配置された外側環状部５２と、これら両環状部５１，５２との間を連結する２個の連結部５５，５５とからなる。外側環状部５２には、１８０度間隔で、下方に向けてＶ字状に突出する突起５６，５６が形成されており、これら突起５６が上記ノッチ溝座４７に係脱してクリック感（ノッチ感）を生じる。
【００２０】
上記板スプリング４９は、その内側環状部５２の一面（表面）が回転操作具１３のボス部４２の下面に当接し、その外側環状部５２の他面（裏面）がノッチ溝座４７の上面に当接している。そして、突起５６がノッチ溝座４７のノッチ溝に係合している状態で、該板スプリング４９は平面状にあって自然状態となる。
【００２１】
従って、本回転操作装置４０は、回転操作具１３を摘んで回転すると、該回転操作具１３と一体にボリューム３３が回転して電圧を変化して、コントローラ基板３２を介して油圧感度用モータ２０を回転して、油圧感度調節装置１９を操作する。この際、板スプリング４９は、そのＤ孔５０によりボリュームシャフト３３ａ及び回転操作具１３と一体に回転し、その内側環状部５１が回転操作具１３のボス部４２の先端に当接して上方への移動が規制された状態で、外側環状部５２は、下方突起５６がノッチ溝座４７の凸部を乗り越える毎に、連結部５５等を弾性変形しつつ上方へ変位して、クリック感（ノッチ感）を発生する。
【００２２】
従って、本回転操作装置４０は、回転操作具１３を回転すると、板スプリング４９が弾性変形しつつノッチ溝座４７をノッチ溝を乗り越えて、ノッチ溝の凹凸毎にクリック感を生じて操作される。また、板スプリング４９は、そのＤ孔５０にボリュームシャフト３３ａが嵌合することにより位置決めされ、かつ回転操作具１３は板スプリングからなるスリーブ４５を介してボリュームシャフト３３ａに嵌合することにより位置決めされ、更にノッチ溝座４７はケース３０に直接形成されているので、回転操作具１３、ボリューム３３、板スプリング４９及びノッチ溝座４７間の関係寸法は遊びのない略々０となり、正確なピッチでクリック感を得ることができる。
【００２３】
また、回転操作具１３は、板スプリング４９をノッチ溝座４７との間に挟んで、かつスリーブ４５を介在してボリュームシャフト３３ａに一体に嵌合すれば足り、組立ても簡単である。板スプリング４９は、突起５６がノッチ溝座４７の凹部に入っている自然状態にあって平坦面となり、突起５６がノッチ溝座４７の凸部を乗り越える際、外径側が上反りになるように弾性変形する。従って、ボリューム３３に押しボタンスイッチ内蔵タイプを用いることになり、回転操作具１３を下方に押圧すると、板スプリング４９は、上記平坦面からなる自然状態から、中央側が下反りになるように弾性変形して、上記スイッチ内蔵タイプのボリュームのスイッチ操作を行うことができる。
【００２４】
前記回転操作具１３をボリュームシャフト３３ａに組付けた状態にあっては、ケース３０の鍔部４６が回転操作具１３の外郭部４１とボス部４２との間の空間Ｂに突出して、鍔部４６と外郭部４１内周面との間、並びにボス部４２外周面との間でラビリンスを構成する。従って、雨曝し状態にある田植機の操作ユニット１２に用いても、上記ラビリンスにより雨水が回転操作具１３の内部に浸入することを減少し、更にパッキン３７がボリュームシャフト３３ａに水密状に嵌合しているので、雨水がケース３０内に浸入することを防止できる。
【００２５】
操作ユニット１２は、上面及び側方周囲がケース３０で覆われ、かつケース３０内にスイッチユニット基板３１及びコントローラ基板３２を実装した状態で、裏面からモールド処理されており、ボリューム及び複数のスイッチ及びライトが一体構造として防水構造となっている。これにより、部品アイテムの削減と組立性向上を図ることができると共に、防水性を確保される。
【符号の説明】
【００２６】
１２      操作ユニット
１３      回転操作具
１９      油圧感度調節装置
３０      ケース
３０ａ    開口部
３１      スイッチ基板
３２      コントローラ基板
３３      被操作部材（ボリューム）
３３ａ    シャフト
４０      回転操作装置
４２      ボス部
４６      鍔部
４７      ノッチ溝座
４９      板スプリング
５１      内側環状部
５２      外側環状部
５３      空隙
５５      連結部
５６      突起
【図１】
0005568396.tif 000002
【図２】
0005568396.tif 000003
【図３】
0005568396.tif 000004
【図４】
0005568396.tif 000005
【図５】
0005568396.tif 000006
【図６】
0005568396.tif 000007
【図７】
0005568396.tif 000008
【図８】
0005568396.tif 000009
【図９】
0005568396.tif 000010